(57)【特許請求の範囲】
【請求項１】
取付面に固定される戸当り本体と該戸当り本体に取り付けられる衝撃吸収用の筒状のカバー本体を具備し、該戸当り本体は、柱状の起立部と該起立部の下方に広がる基板部を有し、該起立部の内方には雌ねじが形成され、基板部には取付孔が設けられ、上記戸当り本体の起立部は、截頭錐体状に形成され、周面には上記基板部に設けた取付孔に連通する溝状凹陥部と溝状凹陥部間に広がる弧状隆起部が形成され、上記カバー本体には上記起立部に嵌着される挿入孔が形成され、内面には上記溝状凹陥部及び弧状隆起部に嵌着する畝状隆起部及び弧状凹陥部が形成されていることを特徴とする戸当り。
【請求項２】
上記戸当り本体の起立部の頭部とカバー本体には、カバー本体を戸当り本体に嵌着した際、係合するよう中央突起と嵌合孔が形成されている請求項１に記載の戸当り。
【請求項３】
上記起立部とカバー本体にはカバー本体を起立部に嵌着したとき係合する係合突起と係合溝が形成されている請求項１または２に記載の戸当り。
【請求項４】
上記戸当り本体又はカバー本体には、カバー本体を取り外す際工具を差し込むことができる差込溝が形成されている請求項１から３のいずれかに記載の戸当り。
【発明の詳細な説明】
【技術分野】
【０００１】
本発明は、建屋の室内外の出入口として使用する開き扉の開き角度を制限する戸当りに関する。
【背景技術】
【０００２】
建屋の出入り口として使用する開閉扉や建屋内の間仕切りの出入り口として使用する扉には、扉を急激に開いたり、風で煽られて開いたとき、扉の開閉ハンドルやノブ等が壁に当たって傷つけたり、破壊したりしないよう衝撃を吸収する戸当りを床面や壁面に設けて扉の開き角度を制限できるように構成されている。
【０００３】
このような戸当りは、通常、緩衝作用を有する戸当り部（弾性部材）とこの戸当り部（弾性部材）を保持する戸当り本体（垂直軸部）を具備し、戸当り本体には取付面に固定するための雌ねじが設けらているが、床の状況により取付構造が相違している。一般に、床がコンクリートの場合には、アンカーボルトをコンクリート床に打ち込み、上記戸当り本体の雌ねじをこのアンカーボルトに直接ねじ着して戸当り本体を取付面に固体している（例えば特許文献１  第１図参照）。また、木造床の場合には、戸当り本体とは別に、フランジ部の中央にボルトを突設した座金を形成し、フランジ部に複数の取付孔を設け、取付孔の縁にはねじ頭を受け入れるザグリ部を形成し、木ねじをこの取付孔に差し込んで床に座金を固定してから、上記ボルトに戸当り本体をねじ着して取付面に固定している（例えば上記特許文献１  第３図参照）。
【０００４】
上記のように、従来の戸当りは、大別して、アンカーボルトを床に固定して直接戸当り本体をねじ着する場合と、木ねじを使用して座金を床に固定した後、座金に設けたボルトに戸当り本体をねじ着する場合の二通りがある。そのため、各取付構造に応じた部品を予め用意しておかなければならず、部品点数が増え、在庫管理も面倒であった。また、カバー本体の壁厚が薄いと緩衝作用が弱く、剛性も少なくなり、全体を厚く形成すると成形が面倒であり、その上、戸当り本体に嵌着しカバー本体が空転すると、緩みを生じて脱落し易くなる。
【先行技術文献】
【特許文献】
【０００５】
【特許文献１】実公平２−４１２６３号公報（第３欄４２行〜４５行、第４欄２７行〜第５欄２行、第１図、第３図）
【発明の概要】
【発明が解決しようとする課題】
【０００６】
本発明は、上記のように、従来、コンクリート床用と木造床用の二種の部品点数が必要だったのを、１種の共通する部品でいずれの床でも取付できるようにした戸当りを提供することである。
【課題を解決するための手段】
【０００７】
本発明によれば、取付面に固定される戸当り本体と該戸当り本体に取り付けられる衝撃吸収用の筒状のカバー本体を具備し、該戸当り本体は、柱状の起立部と該起立部の下方に広がる基板部を有し、該起立部の内方には雌ねじが形成され、基板部には取付孔が設けられ、上記カバー本体には上記起立部に嵌着される挿入孔が形成されていることを特徴とする戸当りが提供され、上記課題が解決される。
【０００８】
さらに本発明によれば、上記戸当り本体の起立部は、頭部に嵌合孔を有する截頭錐体状に形成され、該截頭錐体の周面には上記基板部に設けた取付孔に連通する溝状凹陥部と溝状凹陥部間に広がる弧状隆起部が形成され、上記カバー本体の挿入孔の内面には上記嵌合孔に嵌着する中央突起と上記溝状凹陥部及び弧状隆起部に嵌着する畝状隆起部及び弧状凹陥部が形成されている上記戸当りが提供される。
【０００９】
また、本発明によれば、上記起立部とカバー本体にはカバー本体を起立部に嵌着したとき係合する係合突起と係合溝が形成され、またカバー本体を取り外す際工具を差し込むことができる差込溝が形成されている上記戸当りが提供される。
【発明の効果】
【００１０】
本発明は上記のように構成され、取付面に固定される戸当り本体と該戸当り本体に取り付けられる衝撃吸収用の筒状のカバー本体を具備し、該戸当り本体は、柱状の起立部と該起立部の下方に広がる基板部を有し、該起立部の内方に雌ねじを形成し、基板部に取付孔を設け、上記カバー本体に上記起立部に嵌着される挿入孔を形成したので、床面等の取付面に取り付ける際、コンクリートの床の場合には、従来と同様に、床に植設したアンカーボルトに戸当り本体をねじ着して固定し、木造床の場合には、基板部の取付孔に木ねじをねじ込んで戸当り本体を固定し、その後カバー本体を戸当り本体の起立部に嵌着すれば、いずれの床であっても同じ戸当りを用いて取付面に設置することができる。したがって、製造メーカーにとっては、部品点数が少なくなり、用途の違いによる組み合わせ、在庫の削減が可能となる。また、使用する側にとっても、基本のセットでアンカーボルトや木造床面に取り付け可能であるから、発注間違いや購入間違いがなくなる利点がある。
【００１１】
また、上記戸当り本体の起立部を、頭部に嵌合孔を有する截頭錐体状に形成し、該截頭錐体の周面に上記基板部に設けた取付孔に連通する溝状凹陥部と溝状凹陥部間に広がる弧状隆起部を形成するとともに上記カバー本体の内面に上記嵌合孔に嵌着する中央突起と上記溝状凹陥部及び弧状隆起部に嵌着する畝状隆起部及び弧状凹陥部を形成すると、カバー本体を起立部に嵌着した際、カバー本体は起立部に密着状態で嵌り込み、戸が当たっても、動揺したり、空転するおそれがなく、緩みにくいし、起立部が截頭錐体状に形成されているので、カバー本体の上方部は肉厚となり、剛性があり、戸が当たった際の緩衝効果が大きい。さらに、上記起立部とカバー本体間にカバー本体を起立部に嵌着したとき係合する係合突起と係合溝を形成すると、カバー本体は一層外れにくく、またカバー本体を取り外す際工具を差し込むことができる差込溝を戸当り本体若しくはカバー本体の適宜位置に形成しておくと、必要なときにドライバー等の工具の先端を差し込んでカバー本体を取り外すこともできる。
【図面の簡単な説明】
【００１２】
【図１】正面図。
【図２】断面図。
【図３】戸当り本体の斜視図。
【図４】戸当り本体の平面図。
【図５】戸当り本体の底面図。
【図６】戸当り本体の底面からみた斜視図。
【図７】カバー本体の斜視図。
【図８】カバー本体の断面図。
【図９】カバー本体の底面図。
【図１０】戸当り本体の他の実施例を示し、（Ａ）は正面図、（Ｂ）は平面図。
【図１１】カバー本体の他の実施例を示し、（Ａ）は正面図、（Ｂ）は底面図。
【発明を実施するための形態】
【００１３】
本発明の戸当りは、図１、図２に示すように、床、壁等の取付面２に固定される戸当り本体１と、該戸当り本体１に取り付けられる衝撃緩衝用の筒状のカバー本体３を具備する。
【００１４】
図３〜図６を参照し、上記戸当り本体１は、起立部４と該起立部４の下方に広がる基板部５を有する。起立部４は下方が略円柱状に形成され、その上部が截頭錐体状に形成され、内方には雌ねじ６が形成されている。また、基板部５には複数の取付孔７が形成されており、起立部４の周面には該取付孔７に連通する断面略Ｕ字溝状の溝状凹陥部８と該溝状凹陥部８間に広がる弧状隆起部９が形成されている。
【００１５】
上記起立部４の頭部１０には嵌合孔１１を形成してあり、この嵌合孔１１の内面には単なる円でも良いが好ましくは略線状に突出する複数の隆起条１２が設けられ、嵌合孔１１に差し込んだものを圧着できるようにしてある。また、上記溝状凹陥部８に面する基板部５の周縁はゆるやかな弧状の外縁部１３となって広がり、上記取付孔７に挿入した取付ねじの頭部の座面を形成している。そして、該外縁部１３間の弧状隆起部９には係合突起１４が設けられている。
【００１６】
上記カバー本体３は、ゴム材料、軟質プラスチック材料、エラストマー材料等の適度のゴム弾性を有する弾性材料で下端が開口する略筒状に形成され、内方には上記起立部４に嵌着される挿入孔１５が形成されている。この挿入孔１５は、上記起立部４の外周の形状に対応して入口に近い部分は略円筒状に開口し、奥に向かって截頭錐体状に傾斜しており、最深部には上記起立部４の嵌合孔１１に嵌合するよう中央突起１６が形成されている。また、挿入孔の内面には、上記起立部４の溝状凹陥部８に嵌着する畝状隆起部１７と、弧状隆起部９に嵌着する弧状凹陥部１８が形成され、上記中央突起１６と畝状隆起部１７の下端には挿入をガイドするよう傾斜面が設けられている。
【００１７】
また、カバー本体３の開口部には、上記戸当り本体１の基板部５に設けた係合突起１４が係合する係合溝１９が形成され、該係合溝１９を形成するカバー本体３の開口縁の一部には上記基板部５の外縁部１３を受け入れるよう弧状の切欠き部２０を設けてある。
【００１８】
上記戸当りを取付面２に固定するには、コンクリート床であっても木造床であってもそのまま使用することができる。先ず、コンクリート床の場合には、床に打ち込んだアンカーボルト２１を戸当り本体１の雌ねじ６にねじ込み、戸当り本体１を固定する。そして、この戸当り本体にカバー本体３を嵌着し、各凹陥部と隆起部をそれぞれ嵌合させるとともに中央突起１６を嵌合孔１１に密着係合させ、係合突起１４を係合溝１９に係合すれば、設置が完了する。この状態で、カバー本体３と戸当り本体１は凹陥部と隆起部が相互に嵌り合っているので、剛性が得られ、戸が当たってもカバー本体３が空転することはない。
【００１９】
木造床の場合には、上記戸当り本体１の基板部５の取付孔７を通して木ねじ等の取付ねじ２２を床にねじ込み、戸当り本体１を床に固定し、その後、上述のようにカバー本体３を戸当り本体に嵌着すればよい。
【００２０】
上記のようにして、コンクリート床や木造床のいずれの場合にも同一の構成の戸当りで対処することができるが、一旦床等の取付面に固定後、何等かの理由で取り外す必要が生じる場合がある。そのような場合は、図１０に示すように、戸当り本体１の係止突起１４の下方付近に、ドライバー等の工具（図示略）の先端を差し込みできるような差込溝２３を設けておき、カバー本体３の下方からドライバーの先端を差し込んで係合突起１４と係合溝１９の係合を外せるようにしておけばよい。この際、図１１に示すようにカバー本体３にも差込溝２４を形成しておいてもよい。なお、カバー本体３の差込溝２４の大きさを、係合突起１４の一部が現われるような大きさに形成しておけば、戸当り本体の差込溝２３を省略することもできる。
【００２１】
上記実施例においては、カバー本体に中央突起を設け、該中央突起が嵌合する嵌合孔を戸当り本体に設け、またカバー本体に係合溝を設け、戸当り本体に該係合溝に係合する係合突起を設けて戸当り本体とカバー本体を結合できるようにしたが、これらの中央突起、嵌合孔、係合溝、係合突起をそれぞれ対向する部材側に設けて結合するようにしてもよい。
【符号の説明】
【００２２】
１    戸当り本体
３    カバー本体
４    起立部
５    基板部
６    雌ねじ
７    取付孔
８    溝状凹陥部
９    弧状隆起部
１１  嵌合孔
１４  係合突起
１５  挿入孔
１６  中央突起
１７  畝状隆起部
１８  弧状凹陥部
１９  係合溝
２１  アンカーボルト
２２  取付ねじ
【図１】
0006034594.tif 000002
【図２】
0006034594.tif 000003
【図３】
0006034594.tif 000004
【図４】
0006034594.tif 000005
【図５】
0006034594.tif 000006
【図６】
0006034594.tif 000007
【図７】
0006034594.tif 000008
【図８】
0006034594.tif 000009
【図９】
0006034594.tif 000010
【図１０】
0006034594.tif 000011
【図１１】
0006034594.tif 000012